(57)【要約】【課題】  プラスチックボトル表面そのものの加飾により、外観のデザイン性を確保するとともに、膨張変形を抑えることを可能とする新規な技術を提案する。【解決手段】  飲み口部１０と、肩部２０と、胴部３０と、底部４０と、を順に有してなり、肩部２０、及び／又は、胴部３０の表面には、表面の周方向に帯状の加飾部Ｋａが設けられ、加飾部Ｋａは、周方向に配列される三角錐形状の凹部２，２を含む、プラスチックボトルとする。【選択図】図１
2018188186.tif 000002
【特許請求の範囲】
【請求項１】
飲み口部と、肩部と、胴部と、底部と、を順に有してなり、
前記肩部、及び／又は、前記胴部の表面には、
表面の周方向に帯状の加飾部が設けられ、
前記加飾部は、周方向に配列される三角錐形状の凹部を含む、プラスチックボトル。
【請求項２】
前記加飾部には、三角錐形状の三個の凹部と、三個の凹部で囲まれた部位に形成される三角形区画と、からなる三角形ユニットが形成される、
ことを特徴とする請求項１に記載のプラスチックボトル。
【請求項３】
前記各凹部の三角錐形状は、前記凹部の側面を構成する三個の傾斜面と、前記凹部の開口部を構成する仮想面と、を有してなり、
前記仮想面は、略正三角形で構成され、
前記傾斜面の三辺のうち、前記仮想面と共有しない二本の辺の長さは、前記仮想面と共有する一本の辺の長さ以下とされ、
前記仮想面の形状と、前記三角形区画の形状は、互いに向きを逆側に配置してなる同一形状であり、
前記三角形区画の形状と、三角形ユニットの形状は、相似関係である、
ことを特徴とする請求項１又は請求項２に記載のプラスチックボトル。
【請求項４】
帯状の前記加飾部は、前記プラスチックボトルの軸方向において隣接して複数列構成され、
前記各加飾部において、前記三角形ユニットは複数個が隣接して配置され、
前記各三角形ユニットで囲まれる部位により、前記三角形ユニットと逆向きの大逆三角形区画が構成される、
ことを特徴とする請求項１乃至請求項３のいずれか一項に記載のプラスチックボトル。
【請求項５】
前記仮想面の三角形の形状は、一辺を水平として一の頂点を一辺の上方に配置する上向きの三角形であり、
前記三角形区画の三角形の形状は、一辺を水平として一の頂点を一辺の下方に配置する下向きの三角形であり、
前記三角形ユニットの三角形の形状は、一辺を水平として一の頂点を一辺の上方に配置する上向きの三角形であり、
前記大逆三角形区画の三角形の形状は、一辺を水平として一の頂点を一辺の下方に配置する下向きの三角形である、
ことを特徴とする請求項３又は請求項４に記載のプラスチックボトル。
【請求項６】
前記仮想面の三角形の形状は、一辺を水平として一の頂点を一辺の下方に配置する下向きの三角形であり、
前記三角形区画の三角形の形状は、一辺を水平として一の頂点を一辺の上方に配置する上向きの三角形であり、
前記三角形ユニットの三角形の形状は、一辺を水平として一の頂点を一辺の下方に配置する下向きの三角形であり、
前記大逆三角形区画の三角形の形状は、一辺を水平として一の頂点を一辺の上方に配置する上向きの三角形である、
ことを特徴とする請求項３又は請求項４に記載のプラスチックボトル。
【請求項７】
前記プラスチックボトルは、円筒形状である、
ことを特徴とする請求項１乃至請求項６のいずれか一項に記載のプラスチックボトル。
【請求項８】
前記凹部の前記仮想面を構成する略正三角形の一辺の寸法は、３ｍｍ以上１０ｍｍ以下である、
ことを特徴とする請求項３乃至請求項７のいずれか一項に記載のプラスチックボトル。
【発明の詳細な説明】
【技術分野】
【０００１】
本発明は、飲料が充填されるプラスチックボトルに関し、特に容器の表面に凹凸の加飾を施すことでデザイン性を確保するとともに、膨張変形を抑えることを可能とする技術に関する。
【背景技術】
【０００２】
従来、特許文献１に開示されるように、ブロー成形されるプラスチックボトル（樹脂容器）において、内部に負圧が作用しても容器が凹み難くするために、表面に多数の凸部と、これらの各凸部の周囲に設けられ外方に向って突出していない非突出部と、を設ける構成が知られている。
【先行技術文献】
【特許文献】
【０００３】
【特許文献１】実用新案登録第３０８８７６４号明細書
【発明の概要】
【発明が解決しようとする課題】
【０００４】
店頭や自動販売機においては、商品の外観のデザイン性を高めることで、より消費者への商品アピールを高めることができ、販売促進の効果が得られる。このため、商品のパッケージングにおいては、常に新しいデザインが求められるものである。
【０００５】
ここで、市販される清涼飲料にて多く使用されるＰＥＴボトルなどのプラスチックボトルは、全体が透明であり、その周囲にデザインを施したプラスチックフィルムがラップされる。
【０００６】
このプラスチックフィルムの面積が大きいと、フィルム資材のコストが嵩むことになる。このため、プラスチックフィルムの面積を削減することにより、コスト削減を図ることについて検討を図った。
【０００７】
一方で、プラスチックフィルムの面積を削減すると、デザイン可能な範囲が狭まるため、商品そのものの特徴などをアピールできる力が弱まるとともに、他の商品との外観上の差別化が難しくなってしまう。
【０００８】
そこで、特許文献１のように、プラスチックボトルの表面そのものに凹凸を施すことで、プラスチックボトルに加飾についての検討を図った。
【０００９】
この凹凸による加飾については無数の方策が考えられるが、特に、高ガス圧を呈する炭酸飲料では、凹部の面積が大きい場合には、内圧（ガス圧）を受けて外側に膨らんで凹凸を維持できないことが懸念される。
【００１０】
この点、特許文献１では、凹部の底面が平坦な面で構成されており、この平坦な広い面によりボトルの半径方向（中心軸を基準として広がる半径方向）に作用する内圧（ガス圧）を全て受けてしまうため、膨らみ易くなってしまうことが懸念される。
【００１１】
なお、特許文献１は、「内部に負圧が作用しても、容器が凹みにくくする」ことを課題としており、上述した「内圧を受けて外側に膨む」こととは正反対の内容を課題として設定しているものである。
【００１２】
本願発明は以上の課題に鑑みたものであり、プラスチックボトル表面そのものの加飾により、外観のデザイン性を確保するとともに、膨張変形を抑えることを可能とする新規な技術を提案するものである。
【課題を解決するための手段】
【００１３】
本発明の解決しようとする課題は以上の如くであり、次にこの課題を解決するための手段を説明する。
【００１４】
即ち、
飲み口部と、肩部と、胴部と、底部と、を順に有してなり、
前記肩部、及び／又は、前記胴部の表面には、
表面の周方向に帯状の加飾部が設けられ、
前記加飾部は、周方向に配列される三角錐形状の凹部を含む、プラスチックボトルとする。
【００１５】
また、好ましくは、
前記加飾部には、三角錐形状の三個の凹部と、三個の凹部で囲まれた部位に形成される三角形区画と、からなる三角形ユニットが形成される、こととする。
【００１６】
また、好ましくは、
前記各凹部の三角錐形状は、前記凹部の側面を構成する三個の傾斜面と、前記凹部の開口部を構成する仮想面と、を有してなり、
前記仮想面は、略正三角形で構成され、
前記傾斜面の三辺のうち、前記仮想面と共有しない二辺の長さは、前記仮想面と共有する一辺の長さ以下とされ、
前記仮想面の形状と、前記三角形区画の形状は、互いに向きを逆側に配置してなる同一形状であり、
前記三角形区画の形状と、三角形ユニットの形状は、相似関係である、こととする。
【００１７】
また、好ましくは、
帯状の前記加飾部は、前記プラスチックボトルの軸方向において隣接して複数列構成され、
前記各加飾部において、前記三角形ユニットは複数個が隣接して配置され、
前記各三角形ユニットで囲まれる部位により、前記三角形ユニットと逆向きの大逆三角形区画が構成される、こととする。
【００１８】
また、好ましくは、
前記仮想面の三角形の形状は、一辺を水平として一の頂点を一辺の上方に配置する上向きの三角形であり、
前記三角形区画の三角形の形状は、一辺を水平として一の頂点を一辺の下方に配置する下向きの三角形であり、
前記三角形ユニットの三角形の形状は、一辺を水平として一の頂点を一辺の上方に配置する上向きの三角形であり、
前記大逆三角形区画の三角形の形状は、一辺を水平として一の頂点を一辺の下方に配置する下向きの三角形である、こととする。
【００１９】
また、好ましくは、
前記仮想面の三角形の形状は、一辺を水平として一の頂点を一辺の下方に配置する下向きの三角形であり、
前記三角形区画の三角形の形状は、一辺を水平として一の頂点を一辺の上方に配置する上向きの三角形であり、
前記三角形ユニットの三角形の形状は、一辺を水平として一の頂点を一辺の下方に配置する下向きの三角形であり、
前記大逆三角形区画の三角形の形状は、一辺を水平として一の頂点を一辺の上方に配置する上向きの三角形である、こととする。
【００２０】
また、好ましくは、
前記プラスチックボトルは、円筒形状である、こととする。
【００２１】
また、好ましくは、
前記凹部の前記仮想面を構成する略正三角形の一辺の寸法は、３ｍｍ以上１０ｍｍ以下である、こととする。
【発明の効果】
【００２２】
本発明の構成によれば、プラスチックボトルの表面に凹凸の加飾を施すことでデザイン性が確保され、さらに、当該加飾箇所の膨張変形が抑えられるプラスチックボトルが実現できる。
【図面の簡単な説明】
【００２３】
【図１】本願発明の一実施形態に係るプラスチックボトルの正面図。
【図２】本願発明の一実施形態に係るプラスチックボトルの上方斜視図。
【図３】加飾部分について説明する拡大図。
【図４】加飾部分について説明する拡大図。
【図５】（ａ）は本願発明の三角錐形状の凹部での光の乱反射について説明する図。（ｂ）直方体形状の凹部での光の乱反射について説明する図。
【発明を実施するための形態】
【００２４】
以下図面を参照して本願発明の一実施形態に係るプラスチックボトルの構成について説明する。
図１乃至図３に示すように、筒状容器にて構成されるプラスチックボトル１は、
飲み口部１０と、肩部２０と、胴部３０と、底部４０と、を順に有してなり、
肩部２０、及び／又は、胴部３０の表面には、
表面の周方向に帯状の加飾部Ｋａが設けられ、
加飾部Ｋａは、周方向に配列される三角錐形状の凹部２，２（図３）を含む、こととしている。
【００２５】
このプラスチックボトル１には、各種清涼飲料、乳酸菌飲料、乳飲料、茶、コーヒー、水などの各種飲料が充填され得るものである。本願実施例では、円筒形状のボトルに構成されており、特に、内圧の高い炭酸飲料に好適に用いることができる。
【００２６】
プラスチックボトル１は、従来ペットボトル（ＰＥＴボトル）として周知のものであり、プリフォームを二軸延伸ブロー成形法により加工することで成形されるものである。
【００２７】
また、以下の説明では、飲み口部１０側に近い側を上側とし、底部４０側に近い側を下側とし、中心軸１２から離れる方向を左右方向として説明する。
【００２８】
図１乃至図４に示すように、本実施例では、肩部２０と胴部３０にそれぞれ加飾部Ｋａが形成される。図３及び図４は胴部３０の加飾部Ｋａの拡大図であるが、加飾部Ｋａを構成するための各部の構成は、肩部２０と胴部３０で共通するものである。
【００２９】
図３及び図４に示すように、加飾部Ｋａには、三角錐形状の三個の凹部２，２と、三個の凹部２，２で囲まれた部位に形成される小逆三角形区画４と、からなる三角形ユニットＵが形成される。
【００３０】
凹部２を構成する三角錐の形状は、面の数が立体を構成するものにおいて最小の「４」であり、その内の三個の傾斜面２ａ，２ａがプラスチックボトル１の内側に向けて傾斜して配設され、最も深い箇所において頂点２ｂ（図３）が配置される。
【００３１】
凹部２において三個の傾斜面２ａ，２ａ以外の残りの１つの仮想面２ｃ（図３では抽出して点線で示される）は、プラスチックボトル１の表面に配置されるものであり、凹部２の開口部を構成するものである。仮想面２ｃも三角形状をなすものであり、３辺のうち１辺を水平として下側に配置し、その上側に一個の頂点を配置することで、上向きの三角形状（△）を形成する。
【００３２】
なお、ここでいう「プラスチックボトル１の表面」とは、本実施例では、凹部２以外の部位の表面であって、小逆三角形区画４を含む仮想的な連続表面のことをいうものであり、いうなれば、凹んでいない箇所を構成する表面のことをいうものである。ただし、小逆三角形区画４を窪ませることとしてもよい。
【００３３】
本実施例の凹部２は、図３に示すように、仮想面２ｃの三本の各辺２ｍの長さが同一の略正三角形とする。一方で、傾斜面２ａは、三辺のうち、仮想面２ｃと共有しない二本の辺２ｎの長さは、仮想面２ｃと共有する一本の辺２ｍの長さ以下となるように構成される。すなわち、凹部２を略正四面体とする場合と比較して、頂点２ｂまでの深さが浅い四面体で構成される。
【００３４】
なお、傾斜面２ａにおいて、辺２ｎの長さを辺２ｍと同一とし、凹部２を略正四面体とすることとしてもよいが、頂点２ｂが深すぎるとブロー成形時の成形性が悪化するため、辺２ｎを最も長く設定する場合でも辺２ｍの長さと同一とするまでとし、頂点２ｂが最も深く設定される場合において、凹部２が略正四面体として構成されることとすることが好ましい。他方、浅すぎると反射が弱くなり充分なキラキラ感が得られなくなることから、例えば、辺２ｎの長さを辺２ｍの半分以上とするなど、求められるキラキラ感に応じて、最低限の下限値を設定することとしてもよい。
【００３５】
図３及び図４に示すように、小逆三角形区画４は、プラスチックボトル１の表面を形成する位置に配置されるものである。ここで、小逆三角形区画４において、「逆」三角形と表現するのは、３辺のうち１辺を水平として上側に配置し、下側に一個の頂点を配置することで、下向きの三角形状（▽）を形成する。
【００３６】
小逆三角形区画４は、三個の凹部２の仮想面２ｃの内側に囲まれるように配置され、これら三個の凹部２（仮想面２ｃ）と小逆三角形区画４を一個の組として、三角形ユニットＵが形成される。
【００３７】
この三角形ユニットＵの外形線は、三個の仮想面２ｃの外形線を結んで構成されるものであり、三角形ユニットＵの外形線により、上向きの三角形状（△）が形成される。
【００３８】
三角形ユニットＵは、ボトルの周方向に互いに重ならないように複数配置される。本実施例では、ボトルの周方向に隣り合う三角形ユニットＵ，Ｕの頂点同士（三角形ユニットＵの底辺側の頂点）が接することで、三角形ユニットＵ，Ｕの間に、下向きの三角形状（▽）をなす大逆三角形区画６が形成される。
【００３９】
大逆三角形区画６は、三角形ユニットＵの外形線を上下反転させた形状に対応するものであり、下向きの正三角形をなすものである。なお、大逆三角形区画６は、窪ませずにプラスチックボトル１の表面を構成することとする他、窪ませることとしてもよい。
【００４０】
そして、周方向において、三角形ユニットＵと大逆三角形区画６が交互に配置され、帯状の加飾部Ｋａが構成される。
【００４１】
肩部２０において、帯状の加飾部Ｋａは、プラスチックボトル１の中心軸１２の軸方向において二列配設されている。つまり、上下二段となるように帯状の加飾部Ｋａ，Ｋａが配設されている。
【００４２】
また、胴部３０において、帯状の加飾部Ｋａは、プラスチックボトル１の中心軸１２の軸方向において五列配設されている。つまり、上下五段となるように帯状の加飾部Ｋａ，Ｋａが配設されている。
【００４３】
また、胴部３０において、下半分に五列の帯状の加飾部Ｋａが配置される一方で、上半分は平坦な面で構成し、当該平坦部分をフィルム包装部３０ｍとして、図示せぬプラスチックフィルムを巻きつけることができるようになっている。なお、フィルム包装部３０ｍの割合については、特に限定するものではないが、胴部３０の全長に対して約２０％〜６０％とすることが考えられる。
【００４４】
以上のように、それぞれ、複数段（少なくとも二段）の加飾部Ｋａ，Ｋａが配設されることで、図４の例に示されるように、三個の三角形ユニットＵ，Ｕと、その内側の大逆三角形区画６によって、大型の三角形ユニットＵａ（破線で囲まれる部分）が構成される。
【００４５】
以上の構成により、以下のような作用効果を得ることができる。
まず、三角錐形状の窪みで構成する凹部２を用いてプラスチックボトル１の表面を加飾することで、図５（ａ）に示すように、凹部２を構成する三個の傾斜面２ａの面角度を互いに相違させることができ、外部の光Ｈ１を乱反射させ、キラキラと輝く光Ｈ２を発生させることができる。
【００４６】
なお、図５（ｂ）は、直方体形状の凹部９を設けた場合の光の反射について示すものであり、このような図５（ｂ）に示される凹部９の構成では、底面９ａ、側面９ｂの面角度は、ＸＹＺ座標で見た場合に互いに垂直関係になるため、各面から反射した光Ｈ２の反射方向も特定の方向（ＸＹＺ軸方向）の成分が多くなる。
【００４７】
これに対し、図５（ａ）に示す本願発明の構成によれば、凹部２の傾斜面２ａの面角度は、ＸＹＺ座標で見た場合に互いに交差する関係になって、各面の光の反射方向もさまざまであり、また、ある傾斜面２ａで反射した光が別の傾斜面２ａでさらに反射するなど、乱反射する確率も高くなる。つまり、図５（ｂ）と比較して、より光の乱反射が生じ易い。
【００４８】
このように、いわゆる「キラキラ感」（キラキラと輝く光）を強く発生させることで、透明感、爽快感、冷涼感、エッジ感、シャープ感などといった感覚を与えることができる。ここで、より多くの光を乱反射させることによれば、より強く視覚に訴えることが可能になる。このことを考慮して、より数多くの凹部２を配置するために、凹部２の三角錐形状は、仮想面２ｃの１辺を３ｍｍ以上１０ｍｍ以下とし、仮想面２ｃから頂点２ｂまでの深さを０．５ｍｍ以上２ｍｍ以下とすることが好ましい。
【００４９】
凹部２について、以上のような寸法設定とすることで、例えば、図１の５００ミリリットルのプラスチックボトル１において、肩部２０の上段の加飾部Ｋａには、１２個の三角形ユニットＵを配置することが可能となり、肩部２０の下段の加飾部Ｋａには、１２個の三角形ユニットＵを配置することが可能となる。
【００５０】
そして、胴部３０の各加飾部Ｋａの一個の帯については、１４個の三角形ユニットＵを配置する。このようにして、図１のプラスチックボトル１の例では、肩部２０においては合計７２個の凹部２（三角錐）、胴部３０においては合計２１０個の凹部２（三角錐）、がそれぞれ配置され、全体として、合計２８２個の凹部２（三角錐）を配置することができ、これにより、プラスチックボトル全体としての「キラキラ感」を確保することができる。
【００５１】
また、以上のようにして、他の商品との外観上の差別化を図ることができ、「キラキラ感」と関連付けた商品のアピールをすることができる。例えば、棚に商品を陳列した際の当該プラスチックボトルを利用した商品の視認性を向上することや、外観品質（デザイン性）を向上させることができる（視認性向上や外観品質向上）。特に、充填される飲料が炭酸飲料である場合においては、「キラキラ感」により、透明感、爽快感、冷涼感といった商品イメージの訴求に好適なデザインとなる。
【００５２】
さらに、凹部２を含む加飾部Ｋａによって外観上の差別化を図ることが可能となるため、図１、図２に示すように、フィルム包装部３０ｍの長さを短くし、商品ロゴや各種表示が印字などされるプラスチックフィルムの面積を減らしたとしても（例えば、上下寸法を短くするなどの方法がある）、容器のパッケージ全体としての魅力（訴求力のあるデザイン）の低下を抑えることができる。或いは、加飾部Ｋａによってプラスチックフィルムの代わり、或いは、プラスチックフィルムとの相乗効果によって、新たな魅力を付加することができるともいえる。このように、フィルム面積を小さくしても（ラベル丈を短くしても）パッケージ全体としての魅力度が低下しないため、コストダウンが図られるとともに、環境負荷低減にも貢献できる。
【００５３】
また、凹部２が三角錐形状の窪みで構成することで、図５（ａ）に示すように、三個の傾斜面２ａは、それぞれ、ボトルの半径方向Ｙ（中心軸を基準として広がる半径方向）に対し垂直な関係ではなく、これにより、各傾斜面２ａに作用する内圧（ガス圧）のベクトルＢが交差して、傾斜面２ａを外側に押出そうとする力の成分が弱められる。つまり、三角錐形状の凹部２が、内圧（ガス圧）によって外に押出され難くなるといった耐圧性能（形状保持性能）を確保することができ、これにより、三角錐形状の形状をより確実に長期間維持できることになる。
【００５４】
これは、特に、高ガス圧の炭酸飲料が充填された場合において、凹部２の三角錐形状を維持する上では重要である。例えば、０．３５〜０．４０ＭＰａの高ガス圧の炭酸飲料が充填される場合では、凹部２の三角錐形状は、仮想面２ｃの１辺を３ｍｍ以上１０ｍｍ以下とし、仮想面２ｃから頂点２ｂまでの深さを０．５ｍｍ以上２ｍｍ以下とすることが好ましい。
【００５５】
なお、図５（ｂ）の例のように、直方体形状の凹部９を設けた場合には、面積の広い底面９ａがボトルの半径方向Ｙ（中心軸を基準として広がる半径方向）と直交するため、面積の広い底面９ａに内圧（ガス圧）が作用して外側に膨らみ易いこととなる。このため、直方体形状よりなる多面体構造が消失してしまう可能性が高いといえる。
【００５６】
以上のように、凹部２の三角錐形状を維持可能な耐圧性能（形状保持性能）が確保されることで、上述した「キラキラ感」を長期間確保することができる。つまり、プラスチックフィルムに形成した凹部２の耐圧性能（形状保持性能）と、デザイン性（加飾部Ｋａによるデザイン効果（キラキラ感））を両立することが可能となる。
【００５７】
以上のようにして本発明を実現することができる。
即ち、図１乃至図３に示すように、
飲み口部１０と、肩部２０と、胴部３０と、底部４０と、を順に有してなり、
肩部２０、及び／又は、胴部３０の表面には、
表面の周方向に帯状の加飾部Ｋａが設けられ、
加飾部Ｋａは、周方向に配列される三角錐形状の凹部２，２を含む、こととしている。
【００５８】
この構成により、加飾部Ｋａの三角錐形状の凹部２において、耐圧性能（形状保持性能）と、デザイン性（加飾部Ｋａによるデザイン効果（キラキラ感））を両立することが可能となる。そして、これにより、容器の表面に凹凸の加飾を施すことでデザイン性が確保され、さらに、当該加飾箇所の膨張変形が抑えられるプラスチックボトルが実現できる。また、プラスチックボトルを掴んだ際に、凹部２の凹凸を感じさせることができ、加飾部Ｋａの形状を手の触覚に訴えることができるとともに、滑り止めの効果を奏することができる。
【００５９】
また、加飾部Ｋａには、三角錐形状の三個の凹部２，２と、三個の凹部２，２で囲まれた部位に形成される三角形区画（小逆三角形区画４）と、からなる三角形ユニットＵが形成される。
【００６０】
このような三角形ユニットＵにより、三個の凹部と、それに囲まれる三角形区画により、特徴的な加飾を構成することができる。本実施例によれば、三角形ユニットＵにより、矢羽根の印象を構成することもできる。なお、明細書中に記載した小逆三角形区画４の「小」は、大逆三角形区画６との面積の比較において小さいことを意味するだけであり、具体的な大きさを限定するものではない。
【００６１】
また、各凹部２の三角錐形状は、凹部２の側面を構成する三個の傾斜面２ａ，２ａと、凹部２の開口部を構成する仮想面２ｃと、を有してなり、
前記仮想面２ｃは、略正三角形で構成され、
前記傾斜面２ａの三辺のうち、前記仮想面２ｃと共有しない二本の辺２ｎの長さは、前記仮想面２ｃと共有する一本の辺２ｍの長さ以下とされ、
仮想面２ｃの形状と、三角形区画（小逆三角形区画４）の形状は、互いに向きを逆側に配置してなる同一形状であり、
三角形区画（小逆三角形区画４）の形状と、三角形ユニットＵの形状は、相似関係である、こととする。
【００６２】
これにより、相似関係からなる三角形よりなる特徴的な加飾を構成することができる。
【００６３】
また、帯状の加飾部Ｋａは、プラスチックボトル１の軸方向において隣接して複数列構成され、
各加飾部Ｋａにおいて、三角形ユニットＵは複数個が隣接して配置され、
各三角形ユニットＵで囲まれる部位により、三角形ユニットＵと逆向きの大逆三角形区画６が構成される、こととする。
【００６４】
これにより、三角形ユニットＵと大逆三角形区画６を交互に配置してなる特徴的な加飾部Ｋａが構成される。
【００６５】
また、仮想面２ｃの三角形の形状は、一辺を水平として一の頂点を一辺の上方に配置する上向きの三角形であり、
三角形区画（小逆三角形区画４）の三角形の形状は、一辺を水平として一の頂点を一辺の下方に配置する下向きの三角形であり、
三角形ユニットＵの三角形の形状は、一辺を水平として一の頂点を一辺の上方に配置する上向きの三角形であり、
大逆三角形区画６の三角形の形状は、一辺を水平として一の頂点を一辺の下方に配置する下向きの三角形である、
こととする。
【００６６】
これにより、三角形ユニットＵを上向き、大逆三角形区画６を下向きとして、交互に配置してなる特徴的な加飾部Ｋａが構成される。
【００６７】
また、仮想面２ｃの三角形の形状は、一辺を水平として一の頂点を一辺の下方に配置する下向きの三角形であり、
三角形区画（小逆三角形区画４）の三角形の形状は、一辺を水平として一の頂点を一辺の上方に配置する上向きの三角形であり、
三角形ユニットＵの三角形の形状は、一辺を水平として一の頂点を一辺の下方に配置する下向きの三角形であり、
大逆三角形区画６の三角形の形状は、一辺を水平として一の頂点を一辺の上方に配置する上向きの三角形である、
こととする。
つまり、図４の加飾の模様を上下に反転したものである。
【００６８】
これにより、三角形ユニットＵを下向き、大逆三角形区画６を上向きとして、交互に配置してなる特徴的な加飾部Ｋａが構成される。
【００６９】
また、図１及び図２に示すように、プラスチックボトル１は、円筒形状とするものである。
【００７０】
これにより、内圧の高い炭酸飲料を充填する場合において、本願発明を好適に用いることができる。
【００７１】
なお、以上の実施例においては、図３、図４に示すように、三角形ユニットＵを隣接して配置したが、間隔を空けて配置してもよい。この場合、大逆三角形区画６の部位に他の形状が構成される。また、仮想面２ｃと小逆三角形区画４の大きさが相違することとしてもよい。また、小逆三角形区画４や大逆三角形区画６の部位も窪ませることとしてもよい。また、明細書中において凹部２の形状に関する「略正三角形」などの「略」は、ブロー成形時の誤差を考慮しての表現である。
【００７２】
さらに、図３に示すように、三角形ユニットＵを構成する３個の各凹部２の頂点２ｂの深さは、それぞれ異なることとして、各凹部２の形状が違うこととすることや、帯状の加飾部Ｋａの各列単位で凹部２の深さが異なることとしてもよい。
このような構成によれば、凹部２単位、または、加飾部Ｋａ単位ごとに反射具合が異なることとなし、ボトルのキラキラ感に変化を与えることができる。
【符号の説明】
【００７３】
１    プラスチックボトル
２    凹部
２ａ    傾斜面
２ｃ    仮想面
４    小逆三角形区画
６    大逆三角形区画
１０    口部
１２    中心軸
２０    肩部
３０    胴部
４０    底部
Ｋａ    加飾部
Ｕ    三角形ユニット
【図１】
2018188186.tif 000003
【図２】
2018188186.tif 000004
【図３】
2018188186.tif 000005
【図４】
2018188186.tif 000006
【図５】
2018188186.tif 000007